(57)【要約】      （修正有）【課題】本発明は、部品点数を削減し、低消費電力化を可能とした放電灯点灯装置並びに放電灯点灯装置用集積回路を提供する。【解決手段】直流電源１から所定の直流電圧を出力する直流電源回路２と、前記直流電源回路の出力端に２つのスイッチング素子Ｑ１，Ｑ２を直列に接続し、これら２つのスイッチング素子Ｑ１，Ｑ２が交互にオン・オフすることによって、前記直流電源回路が出力する直流電圧を高周波電圧に変換するインバータ回路３と、放電灯を備え、前記インバータ回路から高周波電圧を供給されて前記放電灯が点灯する負荷回路４とを放電灯点灯装置における、前記直流電源回路及び前記インバータ回路を制御する集積回路５において、前記集積回路を制御する電源回路１０を備え、この電源回路はこの集積回路に電力を供給するとともに、外部に設けた制御装置６に電力を供給するように構成してあることを特徴とする集積回路。【選択図】図１
2008300070.tif 000002
【特許請求の範囲】
【請求項１】
直流電源１から所定の直流電圧を出力する直流電源回路と、前記直流電源回路の出力端に２つのスイッチング素子を直列に接続し、これら２つのスイッチング素子が交互にオン・オフすることによって、前記直流電源回路が出力する直流電圧を高周波電圧に変換するインバータ回路と、放電灯を備え、前記インバータ回路から高周波電圧を供給されて前記放電灯が点灯する負荷回路とを放電灯点灯装置における、前記インバータ回路を制御する集積回路において、前記集積回路を制御する電源回路を備え、この電源回路は外部に設けた制御装置に電力を供給するように構成してあることを特徴とする集積回路。
【請求項２】
前記集積回路は、前記スイッチング素子を駆動するドライバ用電源を生成する起動回路を備えてあることを特徴とする請求項１記載の集積回路。
【請求項３】
前記電源回路は、ＤＣ−ＤＣコンバータで構成してあることを特徴とする請求項１又は２記載の集積回路。
【請求項４】
前記ＤＣ−ＤＣコンバータは、高耐圧ＰチャンネルＭＯＳＦＥＴで構成したスイッチング素子を備えてあることを特徴とする請求項３記載の集積回路。
【請求項５】
前記電源回路の供給設定電圧が前記集積回路の制御回路の電源電圧と同じ場合、前記電源回路が設定電圧を出力したことを検知する電圧検知回路と、この電圧検知回路が前記設定電圧を検知した際に、前記集積回路の制御回路へ電力を供給するスイッチを設けると供に前記起動回路を停止させる停止回路とを備えてあることを特徴とする請求項１乃至４のいずれかに記載の集積回路。
【請求項６】
前記負荷回路からの状態信号によって一時停止がかかり、また状態信号によって再起動信号を出力するリセット再起動回路を備え、このリセット再起動回路は再起動信号を前記停止回路の出力に設けられたＡＮＤ回路に出力し、この信号を前記ＡＮＤ回路が入力することにより、前記電圧検知回路の動作に関係なく、前記起動回路を動作させるようにしてあることを特徴とする請求項５記載の集積回路。
【請求項７】
前記インバータ回路を起動開始してある一定期間予熱周波数で動作させるように作用するタイマーのある時間経過までは、前記停止回路から前記起動回路の停止信号が出力されていても前記起動回路を動作させると共に前記起動回路から前記スイッチング素子を駆動する前記ドライバ用電源へ電力を供給するスイッチを設けてあり、このスイッチをオンするようにしてあることを特徴とする請求項５又は６記載の集積回路。
【請求項８】
直流電源から所定の直流電圧を出力する直流電源回路と、前記直流電源回路の出力端に２つのスイッチング素子を直列に接続し、これら２つのスイッチング素子が交互にオン・オフすることによって、前記直流電源回路が出力する直流電圧を高周波電圧に変換するインバータ回路と、放電灯を備え、前記インバータ回路から高周波電圧を供給されて前記放電灯が点灯する負荷回路との放電灯点灯装置において、請求項１乃至７のいずれかに記載の前記インバータ回路を制御する集積回路を備えたことを特徴とする放電灯点灯装置。
【発明の詳細な説明】
【技術分野】
【０００１】
本発明は、放電灯蛍光ランプの点灯制御を行う放電灯点灯装置並びにこの放電灯点灯装置を制御する集積回路に関するものである。
【背景技術】
【０００２】
従来の集積回路を備えた放電灯点灯装置を図５に示す。この従来例は、直流電源１から所定の直流電圧を出力する直流電源回路２と、直流電源回路２の出力端に２つのスイッチング素子Ｑ１，Ｑ２を直列に接続し、これら２つのスイッチング素子Ｑ１，Ｑ２が交互にオン・オフすることによって、直流電源回路２が出力する直流電圧を高周波電圧に変換するインバータ回路３と、放電灯を備え、インバータ回路３から高周波電圧を供給されて前記放電灯が点灯する負荷回路４と、を備えてある。
【０００３】
従来の放電灯点灯装置は、直流電源回路２の出力を高周波電圧に変換するインバータ回路３を制御する集積回路５を備えてある。さらに、従来の放電灯点灯装置は、ワイヤレスリモコンの信号などの処理をするマイクロコンピュータ６を搭載し、外部から集積回路５に信号を出力して、放電灯点灯装置を操作し、集積回路５に備えた制御回路２０を介してドライバーコントローラ回路を操作し、放電灯点灯装置が起動又は停止するように構成してある（例えば、特許文献１参照）。
【特許文献１】特開２００３−２０３７９５号公報
【０００４】
ワイヤレスリモコンよって、インバーター回路の停止中は集積回路５も一時停止しているが、起動の信号受信待機をする為マイクロコンピュータ６は放電灯が消灯中の待機時においても動作させる必要があり、図５に示すように、別途マイクロコンピュータ用の電源８を用意する必要がある。そのため、部品点数が多くなり、またコストアップにもなるという課題を有する。
【０００５】
この課題を解決するために、直流電源１から所定の直流電圧を出力する直流電源回路からの出力直流電圧をドロッパにより降圧して、マイクロコンピュータに供給する手段が開発された。
【発明の開示】
【発明が解決しようとする課題】
【０００６】
しかし、この手段においても部品点数が多いという課題は解決できないし力率改善昇圧チョッパ等の高電圧からのドロッパなので電力損失は大きい。また、ワイヤレスリモコンの操作によって放電灯が消灯している時も集積回路は一時停止のモードを維持する必要がある為、その制御回路は連続動作し図６のシーケンスタイミングチャートに示すように、集積回路に備えた起動回路１２が一度起動すると集積回路制御電源を生成し続ける必要があり、効率が悪く、低消費電力化が困難である。現在放電灯点灯装置の分野においても、省エネルギー化が叫ばれているが、リモコンの信号などの処理をするマイクロコンピュータを搭載した放電灯点灯装置は上記課題より、時代のニーズに対応できないものとなっている。
【０００７】
本発明は、上記問題に鑑みてなされたものであり、部品点数を削減し、低消費電力化を可能とした放電灯点灯装置並びに放電灯点灯装置用集積回路を提供する。
【課題を解決するための手段】
【０００８】
上記課題を解決するために、本発明に係る集積回路は、直流電源から所定の直流電圧を出力する直流電源回路と、前記直流電源回路の出力端に２つのスイッチング素子を直列に接続し、これら２つのスイッチング素子が交互にオン・オフすることによって、前記直流電源回路が出力する直流電圧を高周波電圧に変換するインバータ回路と、放電灯を備え、前記インバータ回路から高周波電圧を供給されて前記放電灯が点灯する負荷回路とを放電灯点灯装置における前記インバータ回路を制御する集積回路において、前記集積回路を制御する電源回路を備え、この電源回路は、外部に設けた制御装置に電力を供給するように構成してあることを特徴とする。
【０００９】
前記集積回路は、前記スイッチング素子を駆動するドライバ用電源を生成する起動回路を備えてあることを特徴とする。
前記電源回路は、ＤＣ−ＤＣコンバータで構成してあることを特徴とする。
さらに、前記ＤＣ−ＤＣコンバータは、高耐圧ＰチャンネルＭＯＳＦＥＴで構成したスイッチング素子を備えてあることを特徴とする。
【００１０】
前記電源回路の供給設定電圧が前記集積回路の制御回路の電源電圧と同じ場合、前記電源回路が設定電圧を出力したことを検知する電圧検知回路と、この電圧検知回路が前記設定電圧を検知した際に、前記集積回路の制御回路へ電力を供給するスイッチを設けると供に前記起動回路を停止させる停止回路とを備えてあることを特徴とする。
【００１１】
前記負荷回路からの状態信号によって一時停止がかかり、また状態信号によって再起動信号を出力するリセット再起動回路を備え、このリセット再起動回路は再起動信号を前記停止回路の出力に設けられたＡＮＤ回路に出力し、この信号を前記ＡＮＤ回路が入力することにより、前記電圧検知回路の動作に関係なく、前記起動回路を動作させるようにしてあることを特徴とする。
【００１２】
前記インバータ回路を起動開始してある一定期間予熱周波数で動作させるように作用するタイマーのある時間経過までは、前記停止回路から前記起動回路の停止信号が出力されていても前記起動回路を動作させると共に前記起動回路から前記スイッチング素子を駆動する前記ドライバ用電源へ電力を供給するスイッチを設けてあり、このスイッチをオンするようにしてあることを特徴とする。
【００１３】
直流電源から所定の直流電圧を出力する直流電源回路と、前記直流電源回路の出力端に２つのスイッチング素子を直列に接続し、これら２つのスイッチング素子が交互にオン・オフすることによって、前記直流電源回路が出力する直流電圧を高周波電圧に変換するインバータ回路と、放電灯を備え、前記インバータ回路から高周波電圧を供給されて前記放電灯が点灯する負荷回路との放電灯点灯装置において、電源回路を備えてあるとともに、この電源回路の供給設定電圧が前記集積回路の制御回路の電源電圧と同じ場合、前記電源回路が設定電圧を出力したことを検知する電圧検知回路と、この電圧検知回路が前記設定電圧を検知した際に、前記集積回路の制御回路へ電力を供給するスイッチを設けると共に前記起動回路を停止させる停止回路とを備えてあることを特徴とする。
【発明の効果】
【００１４】
本発明によれば、集積回路に電源回路を備えたことにより部品点数を削減することを可能にし、前記電源回路の供給設定電圧が前記集積回路の制御回路の動作電源電圧と同じ場合、設定電圧を出力したことを電圧検知回路が検知した際に、前記集積回路の制御回路へ電力を供給するスイッチがオンすると共に起動回路を停止回路が停止させることにより、動作時及び待機時の効率を改善することができる効果がある。特に、リモコン操作による放電灯消灯時の待機電力については顕著に改善することができる効果がある。
【００１５】
負荷回路からの状態信号によって一時停止がかかり、再起動信号を出力するリセット再起動回路において、停止回路と起動回路の間にＡＮＤ回路が備えられたことにより、リセット信号により再起動がかかった際に、電圧検知回路の動作に関係なく、起動回路１２を起動させ、かつスイッチング素子を駆動するドライバー電源へ電力を供給する事ができるので、インバータ回路を確実に始動させて、ランプ点灯始動動作をさせることができる効果がある。
【発明を実施するための最良の形態】
【００１６】
図１に本発明に係る集積回路を備えた放電灯点灯装置における実施するための最良の形態を示す回路図を示す。本実施形態に係る放電灯点灯装置は、直流電源１から所定の直流電圧を出力する直流電源回路２を備えてある。本実施形態に係る放電灯点灯装置は、直流電源回路２の出力端に２つのスイッチング素子Ｑ１，Ｑ２を直列に接続し、これら２つのスイッチング素子Ｑ１，Ｑ２が交互にオン・オフすることによって、直流電源回路２が出力する直流電圧を高周波電圧に変換するインバータ回路３を備えてある。また、本実施形態に係る放電灯点灯装置は、放電灯を備え、インバータ回路３から高周波電圧を供給されて前記放電灯が点灯する負荷回路４を備えてある。さらに、本実施形態に係る放電灯点灯装置は、インバータ回路３を制御する集積回路５を備えてある。
【００１７】
続いて、本発明に係る放電灯点灯装置における集積回路５について説明する。先ず、この集積回路５はインバータ回路３のスイッチング素子Ｑ１，Ｑ２のオン・オフを制御するドライバーコントローラ回路と制御回路２０を備えてある。この制御回路２０は、制御回路２０に予熱、始動、点灯の各時間制御情報を供給するタイマー回路１９と、ドライバコントローラをオン・オフさせるための発振回路１８に接続してある。また、２つのスイッチング素子Ｑ１，Ｑ２が交互にオン・オフするようにそれぞれのスイッチング素子Ｑ１，Ｑ２を駆動するドライバ２４，２５と、これらドライバ２４，２５を制御するドライバコントローラ回路２３とを備えてある。
【００１８】
本実施形態に係る集積回路５は電源回路１０を備えてある。この電源回路１０の一実施例を図４に示す。この図４の実施例に基づいて電源回路１０を説明する。本実施例の電源回路１０のはＤＣ−ＤＣコンバータで構成してある。本実施例に係るＤＣ−ＤＣコンバータは非絶縁型のコンバータである。本実施例において、非絶縁型のＤＣ−ＤＣコンバータを用いており、これが最適ではあるが、必ずしも非絶縁型のＤＣ−ＤＣコンバータを用いる必要はなく、いずれの電源回路であってもよい。このＤＣ−ＤＣコンバータ回路は主スイッチング素子Ｑ３、整流ダイオードＤ、チョークＬ並びに平滑コンデンサＣを備え、主スイッチング素子Ｑ３は高耐圧ＰチャンネルＭＯＳＦＥＴで構成してある。なお、本実施例では、主スイッチング素子Ｑ３を高耐圧ＰチャンネルＭＯＳＦＥＴで構成してあり、これが最適であるが、その他のスイッチング素子を備えてあってもよい。
【００１９】
ＤＣ−ＤＣコンバータの出力側に分圧抵抗で構成した電圧検出回路１０１を備えてある。この電圧検出回路１０１の出力部は電源回路１０の制御回路１１に接続してある。電源回路１０の制御回路１１は誤差増幅器１０２を備え、この誤差増幅器１０２の一方の入力端子は電圧検出回路１０１に接続してある。誤差増幅器１０２の他方の入力端子は基準電圧１０３に接続し、誤差増幅器１０２は分圧抵抗で検出された電圧と、基準電圧１０３とで比較して、基準電圧１０３の方が高い場合はハイレベル信号を、検出電圧の方が高い場合はローレベル信号を、それぞれ出力する。
【００２０】
誤差増幅器１０２で比較増幅された信号は比較器１０５で、発振器１０４から発振された発振信号と比較される。誤差増幅器１０２から出力される誤差増幅信号の方が高い場合はハイレベル信号を、発振器１０４から出力される発振信号の方が高い場合はローレベル信号をそれぞれ出力し、ＮＯＴ回路１０６で反転させて、フリップフロップ回路１０９のリセット端子に、この反転信号を出力する。
【００２１】
出力電流を検出して基準１０８と比較する比較器１０７を備えてある。この比較器１０７は出力電流が基準電流より大きい場合はハイレベル信号を、基準電流が出力電流より大きい場合はローレベル信号を、それぞれフリップフロップ回路１０９のセット端子に出力する。即ち、フリップフロップ回路１０９では、出力電流が基準電流より大きい場合にセットがかかり、発振信号が誤差増幅信号より大きい場合にリセットがかかる。セット又はリセットがかかると、フリップフロップ回路１０９の出力端子からセット信号又はリセット信号が出力され、ＮＯＲ回路１１０及び駆動スイッチング素子Ｑ４を介して主スイッチング素子Ｑ３にオン・オフ信号が出力される。
【００２２】
続いて、図１図示実施形態に戻って放電灯点灯装置に係る集積回路５について説明する。この電源回路１０の制御回路１１は集積回路５の外部に設けたマイクロコンピュータ（外部制御装置）６と電気的に接続してある。本実施形態に係るマイクロコンピュータ６はワイヤレスリモートコントロール信号の操作により停止、起動ができるように構成してある。
【００２３】
本実施形態に係る集積回路５は、起動回路１２を備えてある。この起動回路１２は直流電源回路２に接続してあり、この起動回路１２が起動することにより、集積回路５が動作を開始し、電源回路１０が立ちあがり電力供給を開始する。
【００２４】
起動回路１２と制御回路２０とをバンドギャップリファレンス回路１６を介して接続してある。本実施形態では起動回路１２から１１〜１４Ｖの電圧が発生するように構成してあるのに対し、制御回路２０は５Ｖの制御電源電圧を要求している。本実施形態においては、起動回路１２が起動している間、起動回路１２からバンドギャップリファレンス回路１６に１１〜１４Ｖの電圧がかかるが、このバンドギャップリファレンス回路１６により、５Ｖの制御電源電圧に変換されて、制御回路２０に５Ｖの制御電源電圧がかかるように構成してある。
【００２５】
起動回路１２とローサイドドライバ２５との間にはスイッチ２６を設けてある。このスイッチ２６は起動回路１２に直流電源回路２の電圧が入力され起動開始するとオンする。一定期間が経過すると、タイマー回路１９の第一のタイマー１９１の時間経過により制御回路２０が動作してスイッチ２６をオフするようにしてある。
【００２６】
本実施形態に係る集積回路５は、電源回路１０が集積回路５の制御回路２０の電源電圧と同じ設定電圧を出力したことを検知する電圧検知回路１５を備えてある。本実施形態では、設定電圧を集積回路５の制御電源と同じ５Ｖに設定してあり、電源回路１０が５Ｖ出力すると、この電圧検知回路１５が５Ｖを検知するように構成してある。また、電源回路１０はスイッチ１７を介して制御回路２０と電源回路１０の制御電源と接続してある。また、スイッチ１７のゲート端子は電圧検知回路１５と接続してある。即ち、電源回路１０が５Ｖ出力すると、電圧検知回路１５が５Ｖを検知して、スイッチ１７をオンさせて、制御回路２０に５Ｖの制御電源電圧が電源回路１０より供給されるようになる。この時同時に電源回路１０自身への制御回路へも５Ｖをされる。すなわち集積回路５の制御電源電圧は電源回路１０からの供給へ切り替わるのである。
【００２７】
本実施形態に係る集積回路５は、電圧検知回路１５が設定電圧（本実施形態では５Ｖ）を検知した際に、起動回路１２を停止させる停止回路１４を備えてある。一方、放電灯に異常が発生したことにより、負荷回路４からの異常状態信号が出力されて、一時停止がかかり、再起動信号を出力するリセット再起動回路２１を備えてある。また、停止回路１４と起動回路１２との間にＡＮＤ回路１３を備えてある。このＡＮＤ回路１３の一方の入力端子には停止回路１４の出力端子を接続し、ＡＮＤ回路１３の他方の入力端子には制御回路２０の出力端子を接続し、制御回路２０からＡＮＤ回路１３へは逆極性の信号が入力されるように構成してあり、リセット再起動回路２１は再起動信号を制御回路２０を介してＡＮＤ回路１３に出力し、この信号が入力されると電圧検知回路１５が電圧を検知していて停止回路１４から起動回路１２に停止信号が出力されていてもＡＮＤ回路１３の条件の片側が負になるので起動回路１２の停止状態は解除されることにより、電圧検知回路１５の動作に関係なく、起動回路１２を動作させるようにしてある。即ち、制御回路２０から停止信号を発していても、リセット再起動回路２１から再起動信号を、発した場合は起動回路１２を動作させるようにしてある。
【００２８】
本実施形態に係る集積回路５は、直流電源回路２の電圧を検出する入力電圧検出回路２２を備えてある。この入力電圧検出回路２２の出力はリセット再起動回路２１に接続し、入力電圧が規定の値より低下した場合に、入力電圧検出回路２２が異常と判断して異常状態信号をリセット再起動回路２１に出力して、一時停止させる。また低下状態が解除された場合はリセット再起動回路２１でリセット再始動がかかるようにしてある。また一時停止からリセット再始動動作をするとき、前記の様に、起動回路１２が動作し集積回路５の必要電源を供給していくが、ある一定時間起動回路１２が継続して動作する様に，タイマー回路１９の第一のタイマー１９１内に起動回路動作時間設定を設けて、停止回路１４からの信号が出力していても、一定時間起動回路１２を動作させスイッチ２６をオンせしめるようにしてある。
【００２９】
以上のように構成してある集積回路５は以下のように動作する。なお、動作については図２図示のシーケンスタイミングチャートを用いて説明する。先ず、直流電源２からのＤＣ電源が起動回路１２に入力されると、起動回路１２はオンする。同時に、スイッチ２６がオンし、ローサイドドライバ２５への電源供給（Ｖｃｃ）が開始される。本実施形態では電源電圧Ｖｃｃの設定を１１〜１４Ｖ制御電源電圧ＶＲＥＦの設定電圧を５Ｖとしている。先ず、この設定電圧１１〜１４Ｖに電源電圧Ｖｃｃが達する。これにより、図２に示すように、電源電圧Ｖｃｃの立ち上がりが検出され、バンドギャップリファレンス回路１６から制御回路２０へ電力が供給される。本実施形態では、電源電圧Ｖｃｃは１１〜１４Ｖまで上昇するが、バンドギャップリファレンス回路１６により制御回路２０の制御電源電圧ＶＲＥＦは上限である５Ｖまでしか上がらないようにしてある。
【００３０】
一方、図２に示すように、制御電源電圧ＶＲＥＦが立ちあがると電源回路１０が起動し設定電圧まで電源出力を上昇させる。同時にマイクロコンピューターに電源が供給されマイクロコンピュータ６は起動し、集積回路５に対してインバータ回路３の動作開始を許可し、集積回路５はタイマー回路１９内の２つのタイマー１９１，１９２を動作させて予熱周波数からの始動動作を開始させる。一方電源回路１０の電源出力は電圧検知回路１５に接続されていて、５Ｖを電圧検知回路１５が検知するとスイッチ１７をオンさせて制御回路に電源ＶＲＥＦを供給するとともに、停止回路１４に停止信号を出力する。但しインバータ起動の初期の段階ではＶｃｃ電源供給を停止するとハイサイド、ローサイドドライバ２４，２５へのスイッチング素子Ｑ１，Ｑ２を駆動する電源が無くなってしまうので停止する事はできない。
【００３１】
インバータ回路３が予熱周波数で駆動後、インバータ回路３の後段に接続されたチョークＬ１のダイオードＤ１接続側に電圧が誘起されＶｃｃのバックアップが充分にできる状態になってから起動回路１２を停止させるのが理想的である。従ってある一定期間予熱周波数で動作するように作用する第一のタイマー１９１のある一定期間起動回路停止信号を受け付けないように動作させる。制御回路２０予熱時間のある一定期間経過後スイッチ２６にオフ信号を出力し、スイッチ２６はオフする。この時は前述のＶｃｃ電源のバックアップがされているのでドライバ２４，２５は電圧が不足する事なくスイッチング電源Ｑ１，Ｑ２を駆動できるになる。予熱動作が終了すると、従前の放電灯点灯装置と同様に、予熱動作、始動動作、点灯動作へと移行する。
【００３２】
続いて、一時停止になった場合について、説明する。なお、本実施形態では、放電灯に異常が発生した場合、入力電圧が低下した場合、並びにマイクロコンピュータ６からの信号で停止されている場合に予熱動作モード、始動動作モード、又は点灯動作モードから一時停止モードに切り替わる。
【００３３】
先ず、一時停止モードになると、電源電圧Ｖｃｃが０Ｖになる。このとき、負荷回路４からの状態信号が正常になった場合、マイクロコンピュータ６から動作信号がきた場合、入力電圧が正常に戻った場合にはリセットがかかり、リセット再起動回路２１で再起動信号を出力する。再起動信号を制御回路２０で検出し、制御回路２０から再起動信号をＡＮＤ回路１３に出力する。この、信号が入力されると電圧検知回路１５が電圧を検知していて停止回路１４から起動回路１２に停止信号が出力されていてもＡＮＤ回路１３の条件の片側が負になるので起動回路１２の停止状態は解除されることになりスイッチ１７がオン状態になっていても、これを無視して、起動回路１２を動作させ、起動回路１２はオンする。
【００３４】
起動回路１２がオンするとスイッチ２６がオンし、Ｖｃｃに電圧が供給され始めて電源電圧Ｖｃｃが設定電圧に達する。一時停止モードの場合は、電源回路１０が継続して動作している為、制御電源電圧ＶＲＥＦは５Ｖを維持しているので予熱周波数から動作を開始して、予熱時間（第一のタイマー１９１）のある一定時間経過後スイッチ２６を遮断する。以後は従前の放電灯点灯装置と同様に、予熱動作、始動動作、点灯動作へと移行する。
【００３５】
以上より、集積回路５に電源回路１０を備えたことにより部品点数を削減することを可能にし、電源回路１０が集積回路５の制御電源電圧と同じ設定電圧を出力したことを電圧検知回路１５が検知した際に、起動回路１２を停止回路１４が停止させることにより、動作時及び待機時の効率を改善することができる。特に、本実施形態においては、マイクロコンピュータ６でワイヤレスリモコン信号を受信し操作をするため、このリモコン操作による放電灯消灯時の待機電力については顕著に改善することができる。
【００３６】
負荷回路４からの状態信号によって停止がかかり、再起動信号を出力するリセット再起動回路２１でインバータ回路３の再始動を行う場合、ＡＮＤ回路１３を備えたことにより、リセット信号により再起動がかかった際に、電圧検知回路１５の動作に関係なく、起動回路１２を起動させるので、インバータ回路３を確実に始動させて、ランプ点灯始動動作をさせることができる。
【００３７】
続いて、第二の実施形態を図３に示す。この実施形態は前記実施形態と異なり、集積回路５にタイマー回路と発振回路を設けずにマイクロコンピュータ６にタイマー機能と発振機能を備えてあることを特徴とする。これはマイクロコンピュータ６によって基本制御するため、タイマー回路と発振回路の処理をマイクロコンピュータ６内に行わせても、何ら問題が無いからである。これにより、部品点数の減少化と低コスト化を図ることができる。なお、本実施形態では、マイクロコンピュータ６からドライバ２４，２５への発振周波数を決定する信号を与える。また、始動時の時間制御された発振周波数の切り替えもマイクロコンピュータ６から集積回路５に信号を与えて行われる。なお、その他の回路構成並びに作用については前記実施形態とほぼ同じであるため、説明を割愛する。
【産業上の利用可能性】
【００３８】
本発明によれば、集積回路に電源回路を備えたことにより部品点数を削減することを可能にし、前記電源回路が集積回路の制御電源電圧と同じ設定電圧を出力したことを電圧検知回路が検知した際に、起動回路を停止回路が停止させることにより、動作時及び待機時の効率を改善することができ、産業上利用可能である。特に、ワイヤレスリモコン操作による放電灯消灯時の待機電力については顕著に改善することができる。
【００３９】
負荷回路からの状態信号によって停止がかかり、再起動信号を出力するリセット再起動回路でインバータ回路の再始動を行う場合、ＡＮＤ回路を備えたことにより、リセット信号により再起動がかかった際に、電圧検知回路の動作に関係なく、起動回路を起動させるので、インバータ回路を確実に始動させて、ランプ点灯始動動作をさせることができ、産業上利用可能である。
【図面の簡単な説明】
【００４０】
【図１】本発明に係る集積回路を備えた放電灯点灯装置の一実施形態を示すブロック図である。
【図２】図１図示実施形態におけるシーケンスタイミングチャートである。
【図３】図１図示とは異なる実施形態を示すブロック図である。
【図４】本発明に係る実施形態における電源装置の一実施例を示す回路図である。
【図５】従来における集積回路を備えた放電灯点灯装置の実施形態を示すブロック図である。
【図６】図５図示従来例におけるシーケンスタイミングチャートである。
【符号の説明】
【００４１】
１  直流電源
２  直流電源回路
３  インバータ回路
４  負荷回路
５  集積回路
６  マイクロコンピュータ（外部制御装置）
７  コンデンサ
１０  電源回路
１１  電源回路１０の制御回路
１２  起動回路
１３  ＡＮＤ回路
１４  停止回路
１５  電圧検知回路
１６  バンドギャップリファレンス回路
１７  スイッチ
１８  発振回路
１９  タイマー回路
１９１  タイマー回路１９の第一のタイマー
１９２  タイマー回路１９の第二のタイマー
２０  制御回路
２１  リセット再起動回路
２２  入力電圧検出回路
２３  ドライバコントローラ回路
２４  ハイサイドドライバ
２５  ローサイドドライバ
２６  スイッチ
１０１  電圧検出回路
１０２  誤差増幅器
１０３、１０８  基準電圧
１０４  発振器
１０５，１０７  比較器
１０６  ＮＯＴ回路
１０９  フリップフロップ回路
Ｑ１〜Ｑ４  スイッチング素子
Ｄ  整流ダイオード
Ｌ  チョーク
Ｃ  平滑コンデンサ
【図１】
2008300070.tif 000003
【図２】
2008300070.tif 000004
【図３】
2008300070.tif 000005
【図４】
2008300070.tif 000006
【図５】
2008300070.tif 000007
【図６】
2008300070.tif 000008